(57)【要約】【課題】  機密保持モードの設定忘れを防止できる、孔版印刷機を提供すること。【解決手段】  カード入力部３と、画像読み取り部２と、製版部４１、印刷部４２、及び排版部４３を有する本体部４と、製版キー５１及び印刷キー５２を有する操作部５と、カード判定手段６１、排版・製版手段６２、及び印刷手段６３、を少なくとも有する制御部６と、を備えた孔版印刷機１において、制御部６が、製版キー５１からの入力が無い限りは印刷部４２を作動させない、機密保持手段６４と、製版キー５１からの入力があると機密保持手段６４を解除する、第１解除手段６５と、カード入力部３から情報カードが抜き取られると、機密保持手段６４を実行させる、第１機密設定手段６６と、を更に有していることを特徴としている。【選択図】図２
2006015622.tif 000002
【特許請求の範囲】
【請求項１】
少なくとも使用者の認証情報が記憶されている情報カードが、挿入される、カード入力部と、
セットされた原稿の情報を読み取る画像読み取り部と、
マスターを製版して、製版済みマスターを印刷ドラムに巻装する、製版部と、製版済みマスターが巻装された印刷ドラムによって、用紙に印刷を行う、印刷部と、印刷に使用された使用済みマスターを印刷ドラムから剥離する、排版部と、を有する、本体部と、
製版キー及び印刷キーを少なくとも有する操作部と、
挿入された情報カードが正当な認証情報を有している場合のみに本体部を作動可能な状態とするカード判定手段と、製版キーからの入力によって、排版部及び製版部を作動させる、排版・製版手段と、印刷キーからの入力によって印刷部を作動させる印刷手段と、を少なくとも有する、制御部と、を備えた、孔版印刷機において、
制御部が、
製版キーからの入力が無い限りは印刷部を作動させない、機密保持手段と、
製版キーからの入力があると機密保持手段を解除する、第１解除手段と、
カード入力部から情報カードが抜き取られると、機密保持手段を実行させる、第１機密設定手段と、を更に有していることを特徴とする孔版印刷機。
【請求項２】
操作部が、機密設定キーを更に有しており、
制御部が、機密設定キーからの入力によって機密保持手段を実行させる、第２機密設定手段を更に有している、請求項１記載の孔版印刷機。
【請求項３】
制御部が、挿入された情報カードの認証情報に基づいて使用者が直前の使用者と同一人物であることを認定すると、機密保持手段を解除する、第２解除手段、を更に有している、請求項１記載の孔版印刷機。
【請求項４】
制御部が、電源がオフとなっても機密保持手段を実行させることを記憶している記憶手段、を更に備えている、請求項１記載の孔版印刷機。
【発明の詳細な説明】
【技術分野】
【０００１】
本発明は、孔版印刷機に関し、特に、機密保持手段を実行させる構成に関するものである。
【背景技術】
【０００２】
孔版印刷機においては、通常、先の印刷を終了した後に原稿を変えて後の印刷を行う際に、製版キーを押すと、排版部が作動して、先の印刷で使用した使用済みマスターを印刷ドラムから剥離し、製版部が作動して、後の印刷で使用する製版済みマスターを印刷ドラムに巻装するようになっている。
【０００３】
すなわち、先の印刷の使用済みマスターは、後の印刷で製版キーが押されるまでは、印刷ドラムに巻装されたままとなっている。これは、次の理由による。すなわち、印刷が終了した時点で使用済みマスターを印刷ドラムから剥離すると、後の印刷が行われるまで、印刷ドラムの外周面や開孔が大気に晒された状態となる。そのような状態が長時間続くと、外周面や開孔に残留しているインクが硬化し、そのために、後の印刷において、マスターへのインクの流動が阻害されてしまい、良好な印刷が行われないことがある。
【０００４】
しかしながら、先の印刷の使用済みマスターを巻装したままにしておくと、後の使用者が製版キーを押さないで印刷キーを押した場合には、先の印刷の原稿がそのまま印刷されてしまうこととなる。これは、先の印刷の原稿が機密情報を有するものである場合には、情報漏洩の観点から大きな問題となる。
【０００５】
そこで、先の印刷の原稿の機密情報を保護するために、例えば、特許文献１、２に示すような技術が採用されている。その技術は、機密保持モードを設定することである。すなわち、先の印刷が終了した後に機密保持モードを設定すると、製版キーが押されるまでは印刷が不可能となる。なお、この印刷は、テスト印刷（所謂、試し刷り）も含んでいる。これにより、製版キーを押して排版及び製版を行わなければ、印刷を行うことができなくなる。したがって、先の印刷終了後、後の印刷を行うためには、必ず、先の印刷に使用した使用済みマスターが印刷ドラムから剥離されて後の印刷で使用する製版済みマスターが印刷ドラムに巻装されることとなるので、先の印刷の原稿がそのまま印刷されることはない。これにより、先の印刷の原稿の機密情報が保護される。
【特許文献１】特開平８−１８３２３８号公報
【特許文献２】特開平８−２６７８９８号公報
【発明の開示】
【発明が解決しようとする課題】
【０００６】
しかしながら、上述の機密保持モードの設定は、使用者が印刷終了後に機密設定キーを押すことによって、なされていた。そのため、万一、使用者が機密設定キーを押し忘れた場合には、機密情報が漏洩する恐れがあった。
【０００７】
本発明は、上述のような機密保持モードの設定忘れを防止できる、孔版印刷機を提供することを目的としている。
【課題を解決するための手段】
【０００８】
請求項１記載の発明は、少なくとも使用者の認証情報が記憶されている情報カードが、挿入される、カード入力部と、セットされた原稿の情報を読み取る画像読み取り部と、マスターを製版して、製版済みマスターを印刷ドラムに巻装する、製版部と、製版済みマスターが巻装された印刷ドラムによって、用紙に印刷を行う、印刷部と、印刷に使用された使用済みマスターを印刷ドラムから剥離する、排版部と、を有する、本体部と、製版キー及び印刷キーを少なくとも有する操作部と、挿入された情報カードが正当な認証情報を有している場合のみに本体部を作動可能な状態とするカード判定手段と、製版キーからの入力によって、排版部及び製版部を作動させる、排版・製版手段と、印刷キーからの入力によって印刷部を作動させる印刷手段と、を少なくとも有する、制御部と、を備えた、孔版印刷機において、制御部が、製版キーからの入力が無い限りは印刷部を作動させない、機密保持手段と、製版キーからの入力があると機密保持手段を解除する、第１解除手段と、カード入力部から情報カードが抜き取られると、機密保持手段を実行させる、第１機密設定手段と、を更に有していることを特徴としている。
【０００９】
情報カードは、使用者の認証情報の他に、当該使用者による印刷状況、例えば、印刷枚数、印刷用紙寸法などの情報を記憶したものでもよい。
【００１０】
請求項２記載の発明は、請求項１記載の発明において、操作部が、機密設定キーを更に有しており、制御部が、機密設定キーからの入力によって機密保持手段を実行させる、第２機密設定手段を更に有しているものである。
【００１１】
請求項３記載の発明は、請求項１記載の発明において、制御部が、挿入された情報カードの認証情報に基づいて使用者が直前の使用者と同一人物であることを認定すると、機密保持手段を解除する、第２解除手段、を更に有しているものである。
【００１２】
請求項４記載の発明は、請求項１記載の発明において、制御部が、電源がオフとなっても機密保持手段を実行させることを記憶している記憶手段、を更に備えているものである。
【発明の効果】
【００１３】
請求項１記載の発明によれば、情報カードをカード入力部から抜き取るだけで、機密保持モードを設定できるので、機密保持モードの設定忘れを確実に防止できる。したがって、機密情報を確実に保護できる。
【００１４】
請求項２記載の発明によれば、情報カードをカード入力部に挿入したままで使用者が変わらざるを得ない場合であっても、先の使用者が機密設定キーを押すことにより、機密保持モードを設定できるので、先の使用者の原稿の機密情報が後の使用者に漏洩するのを防止できる。
【００１５】
請求項３記載の発明によれば、先の印刷の使用済みマスターを使用してそのまま印刷を続けることができるので、マスターの無駄な使用を防止でき、コスト削減を図ることができる。
【００１６】
請求項４記載の発明によれば、後の使用者が電源をオフした後にオンしても、機密保持モードを設定したままにできるので、電源のオンオフに関わりなく、先の使用者の原稿の機密情報が後の使用者に漏洩するのを防止できる。
【発明を実施するための最良の形態】
【００１７】
図１は本発明の孔版印刷機１の全体構成を示す正面部分断面図、図２は本発明の孔版印刷機１の制御ブロック図である。この孔版印刷機１は、画像読み取り部２と、カード入力部３と、本体部４と、操作部５と、制御部６と、を備えている。
【００１８】
本体部４は、製版部４１、印刷部４２、及び排版部４３を備えている。印刷部４２は、更に、給紙部４４及び排紙部４５を備えている。操作部５は、操作パネルからなっており、製版キー５１、印刷キー５２等の各種キーを有している。
【００１９】
制御部６は、所定の処理を行うＣＰＵと、所定の処理プログラムが記憶されているＲＯＭと、処理データを一時的に記憶するＲＡＭと、で構成されている。制御部６には、画像読み取り部２と、カード入力部３と、本体部４と、操作部５と、が接続されている。制御部６は、カード判定手段６１と、排版・製版手段６２と、印刷手段６３と、機密保持手段６４と、第１解除手段６５と、第１機密設定手段６６と、を有している。
【００２０】
孔版印刷機１は、上記各部が次のように作動することによって、印刷を行うようになっている。
【００２１】
即ち、まず、少なくとも使用者の認証情報が記憶されている情報カードがカード入力部３に挿入されると、当該認証情報が、カード入力部３によって、読み取られて制御部６に送られる。制御部６では、カード判定手段６１が、当該認証情報の正否を判定し、正当であると判定すると、本体部４を作動可能な状態とする。なお、カード判定手段６１は、情報カードの認証情報を不当であると判定すると、本体部４を作動不可能な状態とする。
【００２２】
次に、画像読み取り部２に原稿がセットされ、操作部５の製版キー５１が押されると、制御部６の排版・製版手段６２が、製版キー５１からの入力を受けて、排版部４３及び製版部４１を作動させる。排版部４３が作動すると、印刷ドラム４２１に巻装されたままとなっている先の印刷の使用済みマスターが、印刷ドラム４２１から剥離される。そして、製版部４１が作動すると、マスターロール４１１が、画像読み取り部２からの情報に基づいてサーマルヘッド４１２により製版され、所定の長さのマスターに切断され、製版済みマスターとして印刷部４２へ送られて印刷ドラム４２１に巻装される。
【００２３】
そして、操作部５の印刷キー５２が押されると、制御部６の印刷手段６３が、印刷キー５２からの入力を受けて、印刷部４２を作動させる。印刷部４２が作動すると、給紙部４４から送られてきた用紙４４１がプレスローラ４２２によって印刷ドラム４２１へ押付けられ、用紙４４１に対して、インクローラ４２３により供給されるインクが製版済みマスターを介して塗布され、インクの塗布された用紙４４１が、送りローラ４５１によって紙受台４５２へ送られる。
【００２４】
以上のようにして、画像読み取り部２にセットされた原稿が印刷される。そして、印刷を終えた後でも、当該原稿の使用済みマスターは印刷ドラム４２１に巻装されたままである。
【００２５】
そして、本発明の孔版印刷機１では、所望部数の印刷を終えた後、情報カードがカード入力部３から抜き取られると、制御部６の第１機密設定手段６６が、機密保持手段６４を実行させる、すなわち、機密保持モードが設定される。
【００２６】
機密保持手段６４が実行されると、製版キー５１からの入力が先に無い限りは、印刷キー５２からの入力が無効となり、印刷部４２が作動しないこととなる。すなわち、製版キー５１が押されない限りは、印刷キー５２を押しても、印刷部４２は作動せず、印刷は行われないこととなる。したがって、機密保持手段６４が実行されている間は、印刷を行うためには、印刷キー５２を押す前に製版キー５１を押し、排版部４３及び製版部４１を作動させ、先の印刷の使用済みマスターを印刷ドラム４２１から剥離させるとともに後の印刷の製版済みマスターを印刷ドラム４２１に巻装させておく必要がある。よって、先の印刷の使用済みマスターに基づく印刷は行われず、必ず、後の印刷の製版済みマスターに基づく印刷しか行われず、それ故、先の印刷の原稿が機密情報を有する場合には、その機密情報が後の使用者に漏洩することはない。
【００２７】
更に、後の使用者によって、当該使用者の情報カードがカード入力部３に挿入され、画像読み取り部２に新たな原稿がセットされ、操作部５の製版キー５１が押されると、制御部６の第１解除手段６５が機密保持手段６４を解除する。したがって、制御部６の排版・製版手段６２が、製版キー５１からの入力を受けて、排版部４３及び製版部４１を作動させ、その後、操作部５の印刷キー５２が押されると、制御部６の印刷手段６３が、印刷キー５２からの入力を受けて、印刷部４２を作動させ、それによって、画像読み取り部２にセットされた新たな原稿が、上記と同様に、印刷される。
【００２８】
なお、上記の機密保持手段６４は、製版キー５１からの入力が先に無い限りは、印刷キー５２からの入力を無効としているが、操作部５がテスト印刷キーを有している場合には当然にテスト印刷キーからの入力も無効とするものである。
【００２９】
以上のように、本発明の孔版印刷機１においては、情報カードがカード入力部３から抜き取られるだけで、機密保持モードが設定されるので、従来におけるような機密保持モードの設定忘れは、あり得ないこととなる。したがって、本発明の孔版印刷機１によれば、機密情報を確実に保護できる。
【００３０】
なお、上記構成の孔版印刷機１は、次のような構成を備えてもよい。
【００３１】
（１）上述した機密保持手段６４は、印刷キー５２からの入力を無効とすることによって、印刷部４２を作動させないようにしているが、印刷ドラム４２１の回転を阻止する阻止部材（図示せず）を作動させることによって、印刷部４２を作動させないようにしてもよい。
【００３２】
（２）操作部５が、機密設定キーを更に有しており、制御部６が、機密設定キーからの入力によって機密保持手段６４を実行させる、第２機密設定手段を更に有しているものでもよい。
【００３３】
これによれば、情報カードをカード入力部３に挿入したままで使用者が変わらざるを得ない場合であっても、先の使用者が機密設定キーを押すことにより、機密保持手段が実行されるので、先の使用者の原稿の機密情報が後の使用者に漏洩することはない。
【００３４】
（３）制御部６が、挿入された情報カードの認証情報に基づいて使用者が直前の使用者と同一人物であることを認定すると、機密保持手段６４を解除する、第２解除手段、を更に有しているものでもよい。これによれば、先の印刷の使用済みマスターを使用してそのまま印刷を続けることができるので、マスターの無駄な使用を防止でき、コスト削減を図ることができる。
【００３５】
（４）制御部６が、電源がオフとなっても機密保持手段６４を実行させることを記憶している記憶手段、を更に有しているものでもよい。これによれば、後の使用者が電源をオフした後にオンしても、機密保持モードが設定されたままであるので、電源のオンオフに関わりなく、先の使用者の原稿の機密情報が後の使用者に漏洩することはない。
【００３６】
（５）上述した機密保持手段６４に、更に、次のような処理を行わせるようにしてもよい。
【００３７】
（ａ）印刷ドラム４２１を、本体部４における脱着可能な位置であるホームポジションから、少し外れた位置まで回転させ、その状態で停止させる。すなわち、印刷ドラム４２１を非ホームポジションに位置させることによって取り外し不可能な状態とする。これによれば、印刷ドラム４２１を取り外して使用済みマスターを見ることが不可能となるので、機密情報をより万全に保護できる。
【００３８】
（ｂ）印刷ドラム４２１を、ホームポジションにおいて、取り外し不可能となるようロック機構（図示せず）によってロックする。これによっても、上記（ａ）と同様の効果を発揮できる。
【００３９】
（ｃ）製版キー５１が押されないまま、印刷キー５２が押された場合に、操作部５の操作パネルに警告を表示する。警告としては、例えば、「製版後、印刷して下さい」がある。これによれば、使用者に対して、機密情報保護の重要性を喚起できる。
【００４０】
（６）上述した第１解除手段６５に、更に、次のような処理を行わせるようにしてもよい。すなわち、排版部４３によって剥離された使用済みマスターを、裁断機構（図示せず）によって細かく裁断したり、加熱機構（図示せず）によって表面を溶融したりする。これによれば、剥離された使用済みマスターを取り出すことによる機密情報の漏洩を、防止できる。
【００４１】
なお、情報カードをカード入力部３に挿入することに代えて、操作パネルのキーを用いて、認証情報、例えば暗証番号を入力するようにしてもよい。この場合、制御部６は、キー入力による認証情報の正否を判定し、正当であると判定すると、本体部４を作動可能な状態とする、キー入力判定手段を有するとともに、更に、機密保持モードを設定するために、次の（ｉ）〜（iii）に示す機密設定手段を有する。
【００４２】
（ｉ）操作パネルのログオフキーからの入力を受けて、本体部４を作動不可能な状態とするとともに、機密保持手段６４を実行させる、第３機密設定手段。
【００４３】
（ii）操作パネルの電源オフキーからの入力を受けて、電源をオフし、本体部４を作動不可能な状態とするとともに、機密保持手段６４を実行させる、第４機密設定手段。
【００４４】
（iii）印刷終了後の所定時間経過を測定し、自動的にログオフ又は電源オフを実行させ、ログオフを実行させる場合には、本体部４を作動不可能な状態とするとともに機密保持手段６４を実行させ、電源オフを実行させる場合には、電源をオフし本体部４を作動不可能な状態とするとともに機密保持手段６４を実行させる、第５機密設定手段。
【産業上の利用可能性】
【００４５】
本発明の孔版印刷機は、機密保持モードの設定忘れを防止できるので、機密情報の漏洩をより確実に防止でき、したがって、産業上の利用価値が大である。
【図面の簡単な説明】
【００４６】
【図１】本発明の孔版印刷機の全体構成を示す正面部分断面図である。
【図２】本発明の孔版印刷機の制御ブロック図である。
【符号の説明】
【００４７】
１  孔版印刷機  ２  画像読み取り部  ３  カード入力部  ４  本体部  ４１  製版部  ４２  印刷部  ４３  排版部  ５  操作部  ５１  製版キー  ５２  印刷キー  ６  制御部  ６１  カード判定手段  ６２  排版・製版手段  ６３  印刷手段  ６４  機密保持手段  ６５  第１解除手段  ６６  第１機密設定手段
【図１】
2006015622.tif 000003
【図２】
2006015622.tif 000004